(57)【要約】【課題】  木目調の木製壁材に引っ掛け機能を持たせ、しかも従来の作業者の作業方法で簡単に取付けが出来るようにすることを目的とする。【解決手段】  実構造木製壁材で壁面を覆わせ、前記実構造木製壁材で覆わせた壁面の途中で、引っ掛けが必要な箇所の壁面に引っ掛け溝を凹設した帯板状アルミ押出形材をビスで螺締し、アルミ押出形材の表面側に前記ビス頭部が見えないように木製カバーを接着してなる壁体とした。【選択図】  図５
2006112099.tif 000002
【特許請求の範囲】
【請求項１】
実構造木製壁材で壁面を覆わせ、前記実構造木製壁材で覆わせた壁面の途中で、引っ掛けが必要な箇所の壁面に引っ掛け溝を凹設した帯板状アルミ押出形材をビスで螺締し、アルミ押出形材の表面側に前記ビス頭部が見えないように木製カバーを接着してなる壁体。
【発明の詳細な説明】
【技術分野】
【０００１】
本発明は、木製壁材を従来の取付け工法で壁面に取付け、そこに引っ掛ける新機能を持たせた壁体に関するものである。
【０００２】
本発明では、実構造木製壁材を作業者の手により、従来通り壁面に釘で打ち付け、前記実構造木製壁材で覆わせた壁面の途中で、引っ掛けが必要な箇所の壁面に引っ掛け機能を有する壁体を提供しようとするものである。
【背景技術】
【０００３】
従来の壁面に、木製壁材を単に打ち付けた壁体では、何ら新たな機能を有しない。
【０００４】
また、壁面に引っ掛け機能を有する金具のみを設けたものでは、デザイン的に何ら特徴を有しない。
【特許文献１】登録実用新案公報第３０８５９８１号
【発明の開示】
【発明が解決しようとする課題】
【０００５】
木目調の木製壁材に引っ掛け機能を持たせ、しかも従来の作業者の作業方法で簡単に取付けが出来ることが求められている。
【課題を解決するための手段】
【０００６】
そこで、本発明は、上記の事情に鑑み、木目調の木製壁材に引っ掛け機能を持たせ、しかも従来の作業者の作業方法で簡単に取付けが出来るようにすべく、実構造木製壁材で壁面を覆わせ、前記実構造木製壁材で覆わせた壁面の途中で、引っ掛けが必要な箇所の壁面に引っ掛け溝を凹設した帯板状アルミ押出形材をビスで螺締し、アルミ押出形材の表面側に前記ビス頭部が見えないように木製カバーを接着してなる壁体とした。
【発明の効果】
【０００７】
本発明は、実構造木製壁材で壁面を覆わせ、前記実構造木製壁材で覆わせた壁面の途中で、引っ掛けが必要な箇所の壁面に引っ掛け溝を凹設した帯板状アルミ押出形材をビスで螺締し、アルミ押出形材の表面側に前記ビス頭部が見えないように木製カバーを接着してなる壁体であるので、木目調の木製壁材に引っ掛け機能を持たせることができ、しかも従来の作業者の作業方法で簡単に取付けが出来る。
【発明を実施するための最良の形態】
【０００８】
本発明を添付する図面に示す具体的実施例に基づいて、以下詳細に説明する。
【０００９】
図１は、全体の概要を示す斜視図で、符号１1 ・１2 ・１は実構造木製壁材である。実構造木製壁材１1 ・１2 で覆わせた壁面の途中で、引っ掛けが必要な箇所の壁面に引っ掛け溝を凹設した帯板状アルミ押出形材を介在させて、棚板２、箱３、フック４1 ・４2 を設けるようにした。フック４1 はコート用フックで、フック４2 はピクチャー５を吊下げるピクチャーフックである。なお、符号６は木製床材である。
【００１０】
図２は、張り付けた実構造木製壁材１間に引っ掛け溝を有するアルミ押出形材を介在させて、棚板２等を取付けた状態の正面図である。
【００１１】
照明内蔵ボックス７が適宜箇所に配置され、金具８には薄型テレビ取付金具９が取付けられ、棚板２上にはコップ１０や写真立て１１が載置されている。
【００１２】
実構造木製壁材１の四周には、廻り縁１２、幅木１３、見切り１４が設けられている。      
【００１３】
まず、実構造木製壁材１の壁面又は下地１８への取付要領を図３により説明する。
【００１４】
図３は実構造木製壁材１の縦断面図で、長さはその都度所要長さに設定される。この実構造木製壁材１の上面に、全長にわたる溝１５を刻設し、下面には下方に配置した実構造木製壁材１の溝１５と嵌合する突片１６を突設する。前記溝１５の裏面側には壁面に取付ける取付片１７を延出させる。取付片１７の長さは釘付け可能な長さに設定する。
【００１５】
この実構造木製壁材１の壁面又は下地１８への取付けは、その取付片１７を複数本の釘１９を打ち付けて固定する。
【００１６】
次に、固定した実構造木製壁材１の上段には、上段の実構造木製壁材１の突片１６を固定した実構造木製壁材１の溝１５に断面方向から押し込んで装着する。この上段の実構造木製壁材１の固定は前記同様突片１７を複数本の釘１９を打ち付けて固定する。
【００１７】
さらに上段の実構造木製壁材１の固定は、前記と同様にして行う。
【００１８】
次に、実構造木製壁材１で覆わせた壁面の途中で、引っ掛けが必要な箇所に引っ掛け溝を凹設した帯板状アルミ押出形材を用いた箇所を、図４により説明する。
【００１９】
このアルミ押出形材２１の上部には、前記実構造木製壁材１の突片１７と嵌合する嵌合室２２を形成し、アルミ押出形材２１の下部には下方の実構造木製壁材１の溝１５と嵌合する突出部２３を突設する。
【００２０】
さらに、アルミ押出形材２１には嵌合室２２下方表面側に上部引っ掛け溝２４を、突出部２３の上部表面側には下部引っ掛け溝２５をそれぞれ形成する。また、このアルミ押出形材２１の基板部２６の上方および下方にビスを挿通させる挿通孔２７をそれぞれ穿設する。
【００２１】
このアルミ押出形材２１を壁面又は下地１８に当接させ、挿通孔２７からビス２８を挿通させ螺締して壁面又は下地１８に固定する。
【００２２】
このアルミ押出形材２１の基板部２６表面に面ファスナー２９を張付け、面ファスナー３０を張付けた木製カバー３１で前記ビス２８の頭部が見えないように覆う。
【００２３】
図５は、木製カバー３１でアルミ押出形材２１のビス２８を覆って接着した状態を示す。
【００２４】
図６、図７、図８は、壁面又は下地１８にステンレス製の棚受け金具３６を介して棚板２を設けた例を示す。
【００２５】
棚受け金具３６は、高強度が求められるところからステンレス製で、長方形状の水平基板３７の平面中央には垂直状で概略三角形状のリブ３８を溶接により固着し、基端側に前記アルミ押出形材２１の上部引っ掛け溝２４および下部引っ掛け溝２５に差し込む差込片３９、差込片４０をそれぞれ形成した垂直状の取付板４１を溶接にて固着する。
【００２６】
木製の棚板２は、水平基板３７上に載置し、木ネジ４２で螺締する。
【００２７】
なお、棚受け金具３６のリブ３８の金属感を柔らげるため木材４２を貼り付けることができる。
【００２８】
この棚受け金具３６の壁面又は下地１８への装着は、その取付板４１の差込片３９、差込片４０を、アルミ押出形材２１の上部引っ掛け溝２４および下部引っ掛け溝２５にそれぞれ引っ掛けて行う。
【００２９】
図９、図１０にボックス３の例を示す。
【００３０】
ボックス３は背面２箇所に、前記取付板４１を固着し、前記と同様にしてアルミ押出型材２１に引っ掛けて取付ける。
【００３１】
図１１、図１２にピクチャーフックを示す。スチールを屈曲したピクチャーフック４2 をアルミ押出形材２１の上部引っ掛け溝２４あるいは下部引っ掛け溝２５に引っ掛けて使用する。
【００３２】
図１３、図１４にコートフックを示す。スチールを屈曲した取付け板４１にコートフック４２を装着し、アルミ押出形材２１の上部引っ掛け溝２４あるいは下部引っ掛け溝２５に引っ掛けて使用する。
【実施例１】
【００３３】
アルミ押出形材２１の具体例は、幅１２ｍｍ、高さ１１７ｍｍで押出方向の長さは適宜設定する。
【産業上の利用可能性】
【００３４】
本発明は、一般住宅のみならず、他の施設にも利用できる。
【図面の簡単な説明】
【００３５】
【図１】本発明の全体を概要を示す斜視図である。
【図２】本発明の張り付けた実構造木製壁材に引っ掛け溝を有するアルミ押出型材を介在させて棚板等を取付けた状態の正面図である。
【図３】本発明の実構造木製壁材の縦断面図である。
【図４】本発明の実構造木製壁材で覆わせた壁面の途中で引っ掛けが必要な箇所に引っ掛け溝を凹設した帯板状アルミ押出形材を用いた箇所の縦断面図である。
【図５】本発明の木製カバーでアルミ押出形材のビスを覆って接着した状態の縦断面図である。
【図６】本発明の棚受け金具の側面図である。
【図７】本発明の棚受け金具の平面図である。
【図８】本発明の棚受け金具の正面図である。
【図９】本発明のボックスの側面図である。
【図１０】本発明のボックスの正面図である。
【図１１】本発明のピクチャーフックの側面図である。
【図１２】本発明のピクチャーフックの正面図である。
【図１３】本発明のコートフックの側面図である。
【図１４】本発明のコートフックの正面図である。
【符号の説明】
【００３６】
１…実構造木製壁材
２４…上部引っ掛け溝（引っ掛け溝の例）
２５…下部引っ掛け溝（引っ掛け溝の例）
２１…アルミ押出形材
２８…ビス
３１…木製カバー
【図１】
2006112099.tif 000003
【図２】
2006112099.tif 000004
【図３】
2006112099.tif 000005
【図４】
2006112099.tif 000006
【図５】
2006112099.tif 000007
【図６】
2006112099.tif 000008
【図７】
2006112099.tif 000009
【図８】
2006112099.tif 000010
【図９】
2006112099.tif 000011
【図１０】
2006112099.tif 000012
【図１１】
2006112099.tif 000013
【図１２】
2006112099.tif 000014
【図１３】
2006112099.tif 000015
【図１４】
2006112099.tif 000016